(57)【要約】【課題】表示出力のガンマ特性にばらつきがあっても適正に補正をする技術を提供する。【解決手段】調整制御装置６０は、ＧＰＩＯインタフェイス２３を介して輝度計５０の計測結果をもとにして、次の（１）〜（６）の処理を行って、液晶表示装置１０のＷＢ調整とガンマ補正を行う。（１）最大輝度、ＨＩＧＨ、ＬＯＷ３点の輝度を測定、ＨＩＧＨ、ＬＯＷでのガンマを算出する。ガンマ２．２になるように輝度を修正する。（２）ＨＩＧＨ階調の輝度がガンマ２．２になるように輝度を修正する。（３）ＨＩＧＨ階調でのＷＢ調整する。（４）ＷＢ調整後のＨＩＧＨ輝度から、最大輝度でのガンマ２．２からのずれを算出、最大輝度値を修正する。（５）修正後のＭＡＸ輝度から、ＬＯＷ階調の輝度についてガンマ２．２からのずれを算出し、補正する。（６）ＬＯＷ階調でのＷＢ調整する。【選択図】図３
2014147001.tif 000002
【特許請求の範囲】
【請求項１】
表示装置の表示出力に対するガンマ補正を施す設定方法であって、
ホワイトバランスを調整する階調でのガンマを計算する工程と、
前記計算したガンマに基づき輝度の補正を前記表示装置に反映させる工程と、
を有することを特徴とする設定方法。
【請求項２】
表示パネルの表示出力に対するガンマ補正を施す設定方法であって、
前記表示パネルの輝度のうち、最大輝度と、前記最大輝度とは異なる所定の高階調の第１の階調の輝度と、前記第１の階調より低い所定の低階調側の第２の階調の輝度とを計測する輝度計測工程と、
前記輝度計測工程の計測結果をもとに、前記第１の階調のガンマ及び前記第２の階調のガンマを算出する第１のガンマ算出工程と、
前記第１の階調において所定の目標ガンマとなる第１の目標輝度を算出する第１の目標輝度算出工程と、
前記第１の目標輝度におけるホワイトバランスがとれたＲＧＢの調整値を特定する第１のホワイトバランス調整工程と、
前記第１のホワイトバランス調整工程で特定した前記調整値を反映させて前記目標ガンマとなる最大輝度を算出し、前記第２の階調において前記目標ガンマとなる第２の目標輝度を算出する第２の目標輝度算出工程と、
前記第２の目標輝度におけるホワイトバランスがとれたＲＧＢの調整値を特定する第２のホワイトバランス調整工程と、
を有することを特徴とする設定方法。
【請求項３】
請求項１または２に記載の設定方法を実行することを特徴とする調整装置。
【発明の詳細な説明】
【技術分野】
【０００１】
本発明は、表示装置のガンマ補正を行う設定方法及びそのような機能を有する調整装置に関する。
【背景技術】
【０００２】
一般的に、表示パネルの特性において、ガンマ特性は所定のガンマ（ガンマ値）になるように管理されている。例えば、液晶パネルのガンマは、２．２±０．２程度に管理されている。したがって、特にユーザ等が意図して変更する等をしない限り、ＴＶ回路側でのガンマ補正は原則不要であった。
【０００３】
しかし、表示パネルを外部から調達する場合、表示パネルのガンマ特性が上記のガンマに管理されていない場合も想定される。ガンマのバラツキが大きく、ガンマのバラツキが大きいパネルにおいて、ガンマ補正を行わないと、映像のコントラスト感の低下、低い階調での映像潰れ、高い階調での白当たり等が発生しうる。
【０００４】
そのため、表示パネルのガンマ補正を行う技術が各種提案されている。例えば、ガンマの補正量を理想輝度と実輝度との比率で算出する技術がある（例えば、特許文献１参照）。具体的には、この技術では、ガンマ補正曲線の離間した少なくとも２点を調整ポイントとして選択し、該調整ポイントにおいてホワイトバランス調整処理と、輝度レベル調整に基づく入出力値の対応を修正して各調整ポイントにおけるガンマを算出し、算出した各調整ポイントのガンマに基づく補間処理により調整ポイント以外のガンマを算出してガンマ補正曲線の修正処理を行う。
【先行技術文献】
【特許文献】
【０００５】
【特許文献１】特開２００８−１６６８９２号公報
【発明の概要】
【発明が解決しようとする課題】
【０００６】
ところで、ホワイトバランス（以下、単に「ＷＢ」と称する）の調整とガンマ補正は独立した関係ではない。ＷＢ調整を行った後にガンマ補正を行うとＷＢがずれてしまうし、ガンマ補正を行った後にＷＢ調整を行うと、ガンマがずれてしまうことになる。そのため、両方を並行して行うような調整方法が必要となる。
【０００７】
ここで、図１に一般的なＷＢ調整プロセスを示したフローチャートを示す。まず、ＷＢ調整を行う調整制御装置が、調整対象の液晶表示装置にＧＰＩＯ（General Purpose Input/Output）インタフェイス等によって接続され、輝度計で測定した液晶表示装置のＷＢパターンを取得する（Ｓ１１０）。測定データの色度ｘｙが目標範囲内であれば（Ｓ１１２のＹ）、調整が完了する（Ｓ１１４）。測定データの色度ｘｙが目標範囲外であれば（Ｓ１１２のＮ）、ＲＧＢ比率を調整し（Ｓ１１６）、再度ＷＢパターンを測定する（Ｓ１１８）。その結果、測定データの色度ｘｙが目標範囲内であれば（Ｓ１２０のＹ）、調整が完了する（Ｓ１１４）。測定データの色度ｘｙが目標範囲外であれば（Ｓ１２０のＮ）、ＲＧＢ比率の調整（Ｓ１１６）、ＷＢパターンの測定（Ｓ１１８）を継続する。
【０００８】
一方で、特許文献１に開示の技術では、ガンマ補正量を理想輝度と実輝度との比率で算出しており、表示パネルのガンマバラツキが考慮されておらず、バラツキに応じて誤差は比例してしまうという課題があって、別の技術が求められていた。
【０００９】
本発明は以上のような状況に鑑みなされたものであって、上記課題を解決する技術を提供することを目的とする。
【課題を解決するための手段】
【００１０】
本発明は、表示装置の表示出力に対するガンマ補正を施す設定方法であって、ホワイトバランスを調整する階調でのガンマを計算する工程と、前記計算したガンマに基づき輝度の補正を前記表示装置に反映させる工程と、を有する。
本発明は、表示パネルの表示出力に対するガンマ補正を施す設定方法であって、前記表示パネルの輝度のうち、最大輝度と、前記最大輝度とは異なる所定の高階調の第１の階調の輝度と、前記第１の階調より低い所定の低階調側の第２の階調の輝度とを計測する輝度計測工程と、前記輝度計測工程の計測結果をもとに、前記第１の階調のガンマ及び前記第２の階調のガンマを算出する第１のガンマ算出工程と、前記第１の階調において所定の目標ガンマとなる第１の目標輝度を算出する第１の目標輝度算出工程と、前記第１の目標輝度におけるホワイトバランスがとれたＲＧＢの調整値を特定する第１のホワイトバランス調整工程と、前記第１のホワイトバランス調整工程で特定した前記調整値を反映させて前記目標ガンマとなる最大輝度を算出し、前記第２の階調において前記目標ガンマとなる第２の目標輝度を算出する第２の目標輝度算出工程と、前記第２の目標輝度におけるホワイトバランスがとれたＲＧＢの調整値を特定する第２のホワイトバランス調整工程と、を有する。
本発明の調整装置は、上述の設定方法を実行する。
【発明の効果】
【００１１】
本発明によれば、表示パネルのガンマ特性にばらつきがあっても適正に補正をする技術を提供することができる。
【図面の簡単な説明】
【００１２】
【図１】背景技術に係る、一般的なＷＢ調整プロセスを示したフローチャートを示す図である。
【図２】実施形態に係る、液晶表示装置のガンマ補正を施す輝度計及び調整制御装置のシステム構成図である。
【図３】実施形態に係る、液晶表示装置の機能ブロック図である。
【図４】実施形態に係る、ＨＩＧＨ階調ガンマ補正プロセスを示すフローチャートである。
【図５】実施形態に係る、ＬＯＷ階調ガンマ補正プロセスを示すフローチャートである。
【図６】実施形態に係る、補正例において初期設定値を示すテーブルである。
【図７】実施形態に係る、補正例において調整後の輝度測定値を示すテーブルである。
【図８】実施形態に係る、ＨＩＧＨ階調ガンマ補正プロセスにおける各測定値をグラフ上に示したチャート図である。
【図９】実施形態に係る、ＬＯＷ階調ガンマ補正プロセスにおける各測定値をグラフ上に示したチャート図である。
【発明を実施するための形態】
【００１３】
次に、本発明を実施するための形態（以下、単に「実施形態」という）を、図面を参照して具体的に説明する。
【００１４】
図２は液晶表示装置１０のガンマ補正を施す輝度計５０及び調整制御装置６０のシステム構成図である。また、図３は、液晶表示装置１０の機能ブロック図である。この液晶表示装置１０の構成自体は一般的な構成であるが簡単に説明する。また、本実施形態の特徴はガンマ補正等の表示出力に関するので、それと関連の無い音声出力等に関する説明については省略する。
【００１５】
液晶表示装置１０は、映像入力部１２と、映像制御部２０と、表示部４０とを備える。映像入力部１２は、液晶表示装置１０が液晶テレビであればチューナー部や外部入力部を備えて構成されている。
【００１６】
映像制御部２０は、映像処理部２１と、映像出力部２２と、ＧＰＩＯインタフェイス２３と、調整・補正部３０とを備える。
【００１７】
映像処理部２１は、映像入力部１２から所定の映像データを取得し、例えば、圧縮符号化データを取得し復号し、映像出力部２２に出力するための映像データを生成する。映像出力部２２は、復号処理等された最終的な映像データを表示部４０へ出力する。
【００１８】
調整・補正部３０は、ガンマ補正部３１と、ＷＢ調整部３２とを備える。ガンマ補正部３１は、映像処理部２１で生成される映像データに対して所定のガンマ補正を施す。上述のように、表示部４０の出力特性は、ノーマルでガンマ２．２に調整されている。そこで映像データに表示部４０の出力特性を反映させたときに、所望の特性、つまり、ガンマ１．０になるように、映像データ自体にいわゆる逆特性の補正を施す。ＷＢ調整部３２は、白色を正確に白く映し出すように映像データのＲＧＢの出力（データ）を調整する。なお、表示部４０のガンマに関する出力特性についてガンマ２．２に対して偏差（バラツキ）が生じている場合に、ガンマ２．２を前提とした調整を映像に施すと、適正な映像出力が得られない。そこで、後述するように輝度計５０及び調整制御装置６０を用いた調整処理によって、調整・補正部３０は表示部４０のガンマ特性のバラツキも補正する。
【００１９】
表示部４０は、タイミングコントローラー４１と、パネル駆動部４３と、バックライト駆動部４４と、バックライトユニット４５と、液晶パネルである表示パネル４８とを備える。タイミングコントローラー４１は、標準パネルガンマ補正部４２を備える。
【００２０】
タイミングコントローラー４１は、表示パネルに供給すべき映像データを各画素に配分するためのクロック信号などを生成し、パネル駆動部４３（データドライバとゲートドライバ）に供給する。パネル駆動部４３は、データドライバとゲートドライバとを備え、表示パネル４８の各画素に映像データに対応する情報を書き込む。バックライト駆動部４４は、バックライトユニット４５の駆動を行うものであって、例えば表示する映像に応じてバックライトユニット４５の発光をアクティブに制御する。バックライトユニット４５は、冷陰極管（CCFL）やＬＥＤ等を備えて構成されている。
【００２１】
標準パネルガンマ補正部４２は、ガンマ２．２となるようにＲＧＢの出力特性を調整する。ここでは、製品間では共通の設定となる補正がなされ、製品（表示部４０）間のバラツキは補正されず、平均値としてガンマ２．２になる補正がなされる。ここで実際に生じるガンマ２．２からの偏差が後述の調整処理によって調整・補正部３０により補正され映像に反映されるようになる。
【００２２】
輝度計５０は、輝度計測に関して一般的な機能を備え、液晶表示装置１０が出力するＷＢパターンを計測する。計測結果は、調整制御装置６０に出力される。
【００２３】
調整制御装置６０は、輝度計５０と液晶表示装置１０に接続されている。液晶表示装置１０とは、液晶表示装置１０のＧＰＩＯインタフェイス２３で接続されている。したがって、調整制御装置６０は、ＧＰＩＯインタフェイス２３を介して輝度計５０の計測結果をもとにして液晶表示装置１０のＷＢ調整とガンマ補正を行う。
【００２４】
液晶表示装置１０のＷＢ調整とガンマ補正について、図４から９を参照して説明する。
【００２５】
まず、ＷＢ調整及びガンマ補正のプロセス概要を説明する。ＷＢを調整する階調でのガンマを計算し、そのガンマに基づき輝度の補正を行い、目標のガンマに調整する。具体的には、次の（１）〜（６）の通りである。
（１）最大輝度、ＨＩＧＨ、ＬＯＷ３点の輝度を測定、ＨＩＧＨ、ＬＯＷでのガンマを算出する。ガンマ２．２になるように輝度を修正する。
（２）ＨＩＧＨ階調の輝度がガンマ２．２になるように輝度を修正する。
（３）ＨＩＧＨ階調でのＷＢ調整する。
（４）ＷＢ調整後のＨＩＧＨ輝度から、最大輝度でのガンマ２．２からのずれを算出、最大輝度値を修正する。
（５）修正後のＭＡＸ輝度から、ＬＯＷ階調の輝度についてガンマ２．２からのずれを算出し、補正する。
（６）ＬＯＷ階調でのＷＢ調整する。
【００２６】
以下、具体例を用いてＷＢ調整及びガンマ補正のプロセスを詳細に説明する。
【００２７】
図４はＨＩＧＨ階調ガンマ補正プロセスを示すフローチャートであり、図５はＬＯＷ階調ガンマ補正プロセスを示すフローチャートである。また、図６に示すテーブルにおいて、初期設定値は、パネルスペックであるパネルコントラストＣｎｔ＝３０００：１、ＲＧＢデジタル出力の最大値である最大調整階調ＷＢＭＡＸ＝４０８０、ＨＩＧＨ側の調整階調であるＨｉｇｈ調整階調ＷＢＨ＝３６６４、ＬＯＷ側の調整階調であるＬＯＷ調整階調ＷＢＬ＝６４０となっている。さらに、図７は補正例において調整後の輝度測定値を示すテーブルである。
【００２８】
また、図８はＨＩＧＨ階調ガンマ補正プロセスにおける各測定値をグラフ上に示したチャート図であり、図９はＬＯＷ階調ガンマ補正プロセスにおける各測定値をグラフ上に示したチャート図である。
【００２９】
まず、主に図４及び図８を参照して、ＨＩＧＨ階調ガンマ補正プロセスに関して説明する。調整制御装置６０は、輝度計５０の計測結果として、液晶表示装置１０の最大階調の輝度（最大輝度）Ｌｍａｘ、Ｈｉｇｈ調整階調の輝度ＬｘＨ、Ｌｏｗ調整階調の輝度ＬｘＬを取得する（Ｓ１１）。
【００３０】
より具体的には、（１）調整制御装置６０は、最大輝度Ｌｍａｘを測定する。ここでは最大輝度Ｌｍａｘ＝３０５．７ｃｄ／ｍ２とする。
【００３１】
（２）つづいて、調整制御装置６０は、パネルコントラストＣｎｔ（＝３０００）及び測定した最大輝度Ｌｍａｘを用いて、最小階調の輝度（最小階調輝度）Ｌｍｉｎ（＝Ｌｍａｘ／Ｃｎｔ）を計算する。ここでは、最小階調輝度Ｌｍｉｎ＝Ｌｍａｘ／Ｃｎｔ＝０．１０２となる。
【００３２】
（３）つづいて、調整制御装置６０は、Ｈｉｇｈ調整階調ＷＢＨ＝３６６４の輝度ＬｘＨを測定する。ここでは輝度ＬＸＨ＝２３５．１ｃｄ／ｍ２が計測されたものとする。図８のチャートのＢ点に対応する。
【００３３】
（４）さらに、調整制御装置６０は、ＬＯＷ調整階調ＷＢＬ＝６４０での輝度ＬｘＬを測定する。ここでは、輝度ＬＸＬ＝２．０６ｃｄ／ｍ２が計測されたものとする。
【００３４】
つづいて、調整制御装置６０は、ＨＩＧＨ調整階調のガンマＨγ及びＬＯＷ調整階調のガンマＬγを算出する（Ｓ１２）。
【００３５】
（５）より具体的には、調整制御装置６０は、Ｈｉｇｈ調整階調ＷＢＨ＝３６６４の輝度ＬＸＨ＝＝２３５．１ｃｄ／ｍ２からＨＩＧＨ調整階調のガンマＨγを算出する。図８のチャートのＣ点に対応する。ここでは、
Ｈγ=ＬＯＧ（（ＬＸＨ−Ｌｍｉｎ）／（Ｌｍａｘ−Ｌｍｉｎ））／ＬＯＧ（ＷＢＨ／ＷＢＭＡＸ）＝２．４４。
【００３６】
（６）同様に、調整制御装置６０は、ＬＯＷ調整階調ＷＢＬ＝６４０での輝度ＬＸＬから、ＬＯＷ調整階調のガンマＬγを算出する。
ここでは、次のようになる。
Ｌγ=ＬＯＧ（（ＬＸＬ−Ｌｍｉｎ）／（Ｌｍａｘ−Ｌｍｉｎ））／ＬＯＧ（ＷＢＬ／ＷＢＭＡＸ）
＝２．７３
【００３７】
（７）つづいて、調整制御装置６０は、図８のチャートのＡ点の輝度でガンマ２．２での理想のＨｉｇｈ調整階調輝度ＬＨ２２を算出する（Ｓ１３）。
ＬＨ２２=（Ｌｍａｘ−Ｌｍｉｎ）×（ＷＢＨ／ＷＢＭＡＸ）＾２．２＋Ｌｍｉｎ
＝２４１．３１
【００３８】
（８）つぎに、調整制御装置６０は、最大輝度Ｌｍａｘ＝３０５．７ｃｄ／ｍ２になる階調をＨＩＧＨ調整階調のガンマＨγで補正し、ＨＩＧＨ調整階の理想輝度の調整値ＷＢＨＸを次のように算出する（Ｓ１４）。図８のチャートのＤ点に対応する。
調整値ＷＢＨＸ＝ＷＢＭＡＸ×（（ＬＨ２２−Ｌｍｉｎ）／（Ｌｍａｘ−Ｌｍｉｎ））＾（１／Ｈγ）
＝３７０３
【００３９】
（９）さらに調整制御装置６０は、上述の調整値ＷＢＨＸをＷＢ調整の初期値（Ｒ＿ＨＩＧＨ、Ｇ＿ＨＩＧＨ、Ｂ＿ＨＩＧＨ）に設定する（Ｓ１５）。
Ｒ＿ＨＩＧＨ＝ＷＢＨＸ＝３７０３
Ｇ＿ＨＩＧＨ＝ＷＢＨＸ＝３７０３
Ｂ＿ＨＩＧＨ＝ＷＢＨＸ＝３７０３
【００４０】
（１０）調整制御装置６０は、上記初期値にて、一般的なＷＢ調整を行い、Ｒ＿ＨＩＧＨ、Ｇ＿ＨＩＧＨ、Ｂ＿ＨＩＧＨを更新する（Ｓ１６〜Ｓ２１）。
【００４１】
より具体的には、調整制御装置６０は、ＨＩＧＨ側のＷＢパターンの輝度を測定する（Ｓ１６）。測定結果の色度ｘｙが目標範囲内にあれば（Ｓ１７のＹ）、調整制御装置６０は測定を終了し、計測結果をＲ＿ＨＩＧＨ、Ｇ＿ＨＩＧＨ、Ｂ＿ＨＩＧＨに設定して保存する（Ｓ１８）。
【００４２】
測定結果が目標範囲外にあれば（Ｓ１７のＮ）、調整制御装置６０はＲＧＢの比率を調整して（Ｓ１９）、再度ＷＢパターンを測定し（Ｓ２０）、測定結果の色度ｘｙが所定の色差内にあれば（Ｓ２１のＹ）、調整制御装置６０は、計測結果をＲ＿ＨＩＧＨ、Ｇ＿ＨＩＧＨ、Ｂ＿ＨＩＧＨに設定して保存する（Ｓ１８）。
【００４３】
色度ｘｙが所定の色差外にあれば（Ｓ２１のＮ）、調整制御装置６０は、再度ＲＧＢの比率を調整して（Ｓ１９）、再度ＷＢパターンを測定する（Ｓ２０）。
ここでは、最終的な調整後の値は次の通りであり、調整制御装置６０は、それらの値を保存し記憶する（Ｓ１８）。
Ｒ＿ＨＩＧＨ＝３７０２
Ｇ＿ＨＩＧＨ＝３６４１
Ｂ＿ＨＩＧＨ＝３７０３
【００４４】
つぎに、主に図５及び図９を参照してＬＯＷ階調ガンマ補正プロセスに関して説明する。
【００４５】
（１１）調整制御装置６０は、上記（１０）の調整後のＧ＿ＨＩＧＨの値を次式のようにＲ、Ｂに設定し輝度ＬＸＨＧを測定し取得する（Ｓ５１）。
Ｒ＿ＨＩＧＨ=Ｇ＿ＨＩＧＨ
Ｇ＿ＨＩＧＨ=Ｇ＿ＨＩＧＨ
Ｂ＿ＨＩＧＨ=Ｇ＿ＨＩＧＨ
ここで、測定輝度ＬＸＨＧ＝２３１．３となる。
【００４６】
（１２）次に、調整制御装置６０は、上記の測定輝度ＬＸＨＧ＝２３１．３から、ガンマ２．２になるＭＡＸ階調の輝度ＬＸＭＸを計算する（Ｓ５２）。
ＬＸＭＸ=ＬＸＨＧ／（（ＷＢＨ／ＷＢＭＡＸ）＾２．２）＝２９３．０４
【００４７】
（１３）上述のＭＡＸ階調の輝度ＬＸＭＸから、調整制御装置６０は、Ｇ＿ＭＡＸ、Ｒ＿ＭＡＸ、Ｂ＿ＭＡＸを計算し設定する（Ｓ５３）。なお、Ｒ＿ＭＡＸ、Ｂ＿ＭＡＸは、ＨＩＧＨ階調でのＧとの比率が反映される。
Ｒ＿ＭＡＸ＝Ｇ＿ＭＡＸ×（Ｒ＿ＨＩＧＨ／Ｇ＿ＨＩＧＨ）＝４０７７
Ｇ＿ＭＡＸ=ＷＢＭＡＸ×（（ＬＸＭＸ−Ｌｍｉｎ）／（ＬＭＡＸ−Ｌｍｉｎ））＾（１／Ｈγ）＝４０１０
Ｂ＿ＭＡＸ=Ｇ＿ＭＡＸ×（Ｂ＿ＨＩＧＨ／Ｇ＿ＨＩＧＨ）＝４０７８
【００４８】
（１４）続いて、調整制御装置６０は、上述のＭＡＸ階調の輝度ＬＸＭＸから目標調整輝度であるＬＯＷ階調輝度ＬＸＬＸを計算する（Ｓ５４）。図９のチャートのＡ点に対応する。
【００４９】
ＬＸＬＸ＝（ＬＸＭＸ−Ｌｍｉｎ）×（ＷＢＬ／ＷＢＭＡＸ）＾２．２＋Ｌｍｉｎ
＝５．０８
【００５０】
（１５）調整制御装置６０は、（１４）の輝度になる階調ＷＢＬＸを計算する（Ｓ５６）。
ＷＢＬＸ=ＷＢＭＡＸ×（（ＬＸＬＸ−Ｌｍｉｎ）／（Ｌｍａｘ-Ｌｍｉｎ））＾（１／Ｈγ）
＝９０１
【００５１】
（１６）調整制御装置６０は、（１５）の結果をＷＢ調整の初期値に設定する（Ｓ５７）。
Ｒ＿ＬＯＷ＝ＷＢＬＸ＝９０１
Ｇ＿ＬＯＷ＝ＷＢＬＸ＝９０１
Ｂ＿ＬＯＷ＝ＷＢＬＸ＝９０１
【００５２】
（１７）上記初期値にて、調整制御装置６０は、一般的なＷＢ調整を行い、Ｒ＿ＬＯＷ、Ｇ＿ＬＯＷ、Ｂ＿ＬＯＷを更新する（Ｓ５８〜Ｓ６０）。
【００５３】
より具体的には、調整制御装置６０は、ＬＯＷ側のＷＢパターンの輝度を測定する（Ｓ５８）。測定結果の色度ｘｙが目標範囲内にあれば（Ｓ５９のＹ）、調整制御装置６０は測定を終了し、計測結果をＲ＿ＬＯＷ、Ｇ＿ＬＯＷ、Ｂ＿ＬＯＷに設定して保存する（Ｓ６０）。
【００５４】
測定結果が目標範囲外にあれば（Ｓ５９のＮ）、調整制御装置６０はＲＧＢの比率を調整して（Ｓ６１）、再度ＷＢパターンを測定し（Ｓ６２）、測定結果の色度ｘｙが所定の色差内にあれば（Ｓ６３のＹ）、調整制御装置６０は、計測結果をＲ＿ＬＯＷ、Ｇ＿ＬＯＷ、Ｂ＿ＬＯＷに設定して保存する（Ｓ６０）。なお、輝度の支配的なＧは調整せず、Ｒ、Ｂの比率を調整することによりガンマのズレを効果的に抑制することができる。
【００５５】
色度ｘｙが所定の色差外にあれば（Ｓ６３のＮ）、調整制御装置６０は、再度ＲＧＢの比率を調整して（Ｓ６１）、再度ＷＢパターンを測定する（Ｓ６２）。
ここでは、最終的な調整後の値は次の通りである。
Ｒ＿ＬＯＷ＝９２１
Ｇ＿ＬＯＷ＝９０１
Ｂ＿ＬＯＷ＝９７１
そして、調整・補正部３０は、表示部４０（特に表示パネル４８）個別のバラツキ、つまり上記の調整後の値をもとに補正係数を算出して、映像処理部２１で生成される映像データに反映させる。これによって、表示部４０のガンマ特性に関する個別バラツキを相殺することができる。
【００５６】
以上、本実施形態によると、調整する表示パネル４８のガンマを補正係数に使用しているので、ガンマにバラツキがあっても補正が容易に出来る。また、ＷＢ調整前に、ガンマ補正がなされるので、ＷＢのズレは生じず、処理が１回で行うことができる。
【００５７】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、本実施形態では、調整制御装置６０は、液晶表示装置１０とは別体に独立して設けられたが、これに限る趣旨ではない。つまり、液晶表示装置１０が調整制御装置６０を備えてもよい。その場合、経年によりガンマ補正が必要となった場合に例えば保守サービス担当者やユーザ等が対応することができる。
【符号の説明】
【００５８】
１０  液晶表示装置
１２  映像入力部
２０  映像制御部
２１  映像処理部
２２  映像出力部
２３  ＧＰＩＯインタフェイス
３０  調整・補正部
３１  ガンマ補正部
３２  ホワイトバランス調整部
４０  表示部
４１  タイミングコントローラー
４２  標準パネルガンマ補正部
４３  パネル駆動部
４４  バックライト駆動部
４５  バックライトユニット
４８  表示パネル
５０  輝度計
６０  調整制御装置
【図１】
2014147001.tif 000003
【図２】
2014147001.tif 000004
【図３】
2014147001.tif 000005
【図４】
2014147001.tif 000006
【図５】
2014147001.tif 000007
【図６】
2014147001.tif 000008
【図７】
2014147001.tif 000009
【図８】
2014147001.tif 000010
【図９】
2014147001.tif 000011